(57)【要約】【課題】略長方形状のカードをその短手方向に搬送して処理するカードリーダにおいて、搬送路の幅方向へ移動する磁気ヘッドを通過させるための開口部が搬送路に形成されていても、開口部を塞ぐシャッタ部材を円滑に動かすことが可能なカードリーダを提供する。【解決手段】このカードリーダでは、位置決め部材５０とガイド部２９ａとの間に磁気ヘッド通過用の開口部１３が形成され、位置決め部材５０のカード当接部５０ａとガイド部２９ａの奥端との距離はカード２の短手幅よりも短くなっている。シャッタ部材１４が開口部１３を閉鎖しているとき、シャッタ部材１４の前端はガイド部２９ａよりも下側に配置され、シャッタ部材１４が開口部１３を開放しているとき、シャッタ部材１４はガイド部２９ａよりも下側に配置され、開口部１３を閉鎖しているシャッタ部材１４によって、位置決め部材５０のカード支持部５０ｂへのカード２の奥端の案内が可能となっている。【選択図】図６
2015064839.tif 000002
【特許請求の範囲】
【請求項１】
略長方形状に形成されるカードを前記カードの短手方向に搬送して処理するカードリーダにおいて、
前記カードリーダ内で搬送される前記カードの厚み方向の一方を第１方向とし、前記カードの厚み方向の他方を第２方向とし、前記カードリーダ内で搬送される前記カードの搬送方向の一方である前記カードリーダへの前記カードの取込方向を第３方向とし、前記カードの搬送方向の他方である前記カードリーダからの前記カードの排出方向を第４方向とすると、
前記カードを搬送するカード搬送機構と、前記カードが搬送される搬送路の、前記第１方向側の少なくとも一部を構成するガイド部と、前記カードに形成される磁気ストライプに前記第１方向側から当接して前記カードに記録された磁気データの読取および前記カードへの磁気データの記録の少なくともいずれか一方を行う磁気ヘッドと、前記カードの搬送方向に直交する前記搬送路の幅方向へ前記磁気ヘッドを移動させるヘッド移動機構と、前記カードの搬送方向において前記磁気ヘッドに対する前記カードの位置決めを行うための位置決め部材と、前記搬送路の前記第１方向側に形成される開口部を塞ぐためのシャッタ部材とを備え、
前記位置決め部材は、前記カードの前記第３方向端が当接するカード当接部と、前記カードの前記第３方向端が前記カード当接部に当接しているときに前記カードの前記第１方向側が接触可能なカード支持部とを備え、
前記カードの前記第３方向端が前記カード当接部に当接すると、前記カードの搬送方向において前記磁気ヘッドに対して前記カードが位置決めされ、
前記開口部は、前記カードの搬送方向における前記位置決め部材と前記ガイド部との間に形成されるとともに、前記搬送路の幅方向へ移動する前記磁気ヘッドが通過するように形成され、
前記カードの搬送方向における前記カード当接部と前記ガイド部の前記第３方向端との距離は、前記カードの短手方向の幅よりも短くなっており、
前記シャッタ部材が前記開口部を閉鎖しているときに、前記カードの厚み方向において、前記シャッタ部材の前記第４方向端は、前記ガイド部よりも前記第１方向側に配置され、
前記シャッタ部材が前記開口部を開放しているときに、前記カードの厚み方向において、前記シャッタ部材は、前記ガイド部よりも前記第１方向側に配置され、
前記開口部を閉鎖している前記シャッタ部材によって、前記カード支持部への前記カードの前記第３方向端の案内が可能となっていることを特徴とするカードリーダ。
【請求項２】
前記開口部を閉鎖している前記シャッタ部材は、前記第３方向に向かうにしたがって前記第２方向側へ向かうように前記カードの搬送方向に対して傾いていることを特徴とする請求項１記載のカードリーダ。
【請求項３】
前記シャッタ部材は、前記搬送路の幅方向へ移動する前記磁気ヘッドの移動力によって、前記開口部を閉鎖または開放することを特徴とする請求項１または２記載のカードリーダ。
【請求項４】
前記シャッタ部材を作動させるシャッタ作動機構を備え、
前記ヘッド移動機構は、前記磁気ヘッドが搭載されるとともに前記磁気ヘッドと一緒に前記搬送路の幅方向へ移動するキャリッジを備え、
前記搬送路の幅方向の一方を第５方向とし、前記搬送路の幅方向の他方を第６方向とすると、
前記シャッタ作動機構は、前記搬送路の幅方向へ直線的にスライドするスライド部材と、前記スライド部材をスライド可能に保持する保持部材と、前記第６方向へ前記スライド部材を付勢する付勢部材と、前記保持部材に回動可能に保持されるとともに前記シャッタ部材および前記スライド部材に相対回動可能に連結されるレバー部材とを備え、
前記スライド部材には、前記キャリッジの、前記第５方向側の側面が当接可能なキャリッジ当接部が形成され、
前記搬送路よりも前記第５方向側で前記キャリッジが待機している待機位置に前記キャリッジがあるときに、前記シャッタ部材は、前記開口部を閉鎖し、
前記待機位置にある前記キャリッジが前記第６方向へ移動すると、前記付勢部材の付勢力で前記スライド部材が前記第６方向へスライドし、前記レバー部材が回動して、前記開口部を閉鎖している前記シャッタ部材が前記開口部を開放し、
前記待機位置に向かって前記第６方向側から前記第５方向へ前記キャリッジが移動すると、前記キャリッジ当接部に前記キャリッジが当接し、前記ヘッド移動機構の動力で前記スライド部材が前記第５方向へスライドして、前記レバー部材が回動し、前記開口部を開放している前記シャッタ部材が前記開口部を閉鎖することを特徴とする請求項３記載のカードリーダ。
【請求項５】
前記第５方向へ移動する前記キャリッジが前記キャリッジ当接部に当接するときに、前記磁気ヘッドのギャップは、前記磁気ストライプの磁気データ記録領域よりも前記第５方向側に配置されていることを特徴とする請求項４記載のカードリーダ。
【請求項６】
前記シャッタ部材を作動させるシャッタ作動機構を備え、
前記シャッタ作動機構は、前記搬送路の幅方向へ直線的にスライドするスライド部材と、前記スライド部材をスライド可能に保持する保持部材と、前記保持部材に回動可能に保持されるとともに前記シャッタ部材および前記スライド部材に相対回動可能に連結されるレバー部材とを備え、
前記シャッタ部材および前記レバー部材は、平板状に形成され、その厚み方向と前記カードの厚み方向とが略一致するように配置されていることを特徴とする請求項１から５のいずれかに記載のカードリーダ。
【請求項７】
前記搬送路の幅方向における前記開口部の幅および前記シャッタ部材の幅は、前記カードリーダ内で搬送される前記カードの長手方向の幅よりも広くなっていることを特徴とする請求項１から６のいずれかに記載のカードリーダ。
【発明の詳細な説明】
【技術分野】
【０００１】
本発明は、略長方形状に形成されるカードをその短手方向に搬送して処理するカードリーダに関する。
【背景技術】
【０００２】
従来、国際規格やＪＩＳ規格に準拠した磁気ストライプ付きのカード（すなわち、略長方形状に形成されるカード）をその短手方向に搬送して処理するカードリーダが本願発明者によって提案されている（たとえば、特許文献１参照）。特許文献１に記載のカードリーダは、カードを搬送するカード搬送機構と、カードに当接してカードに記録された磁気データの読取やカードへの磁気データの記録を行う磁気ヘッドと、カードの搬送方向に直交する方向へ磁気ヘッドを移動させるヘッド移動機構と、カードリーダ内に取り込まれたカードを位置決めするための位置決め部材とを備えている。位置決め部材には、カードリーダ内に取り込まれたカードの奥端が当接する当接部が形成されている。また、このカードリーダでは、カードが搬送されるカード搬送路に、カードの搬送方向に直交する方向へ移動する磁気ヘッドを通過させるための開口部が形成されている。
【０００３】
また、従来、通帳に設けられた磁気ストライプからの磁気データの読取と磁気ストライプへの磁気データの記録とを行う磁気ヘッド移動型の媒体処理装置が知られている（たとえば、特許文献２参照）。特許文献２に記載の媒体処理装置で処理される通帳では、通帳の搬送方向に直交する方向に磁気ストライプが形成されており、この媒体処理装置は、通帳の搬送方向に直交する方向へ磁気ヘッドを移動させる磁気ヘッド移動機構を備えている。通帳が搬送される搬送路の下面には、搬送方向に直交する方向へ移動する磁気ヘッドを通過させるための開口部が形成されている。また、この媒体処理装置は、開口部を塞ぐためのシャッタ部材を備えている。この媒体処理装置では、通帳の搬送時に、通帳の搬送方向の端部が開口部に引っ掛かるのを防止するため、シャッタ部材によって開口部を塞いでいる。
【先行技術文献】
【特許文献】
【０００４】
【特許文献１】特開２０１３−１６４６７５号公報
【特許文献２】特開２００７−２９３３８７号公報
【発明の概要】
【発明が解決しようとする課題】
【０００５】
特許文献１に記載のカードリーダでは、磁気ヘッドを通過させるための開口部がカード搬送路に形成されている。そのため、カードの搬送時に、カードの搬送方向の端部が開口部に引っ掛かって、カード搬送路でカードが詰まるおそれがある。特許文献２に記載のシャッタ部材を特許文献１に記載のカードリーダに設ければ、かかる問題を解消することが可能である。しかしながら、特許文献１に記載のカードリーダに、開口部を塞ぐためのシャッタ部材を単純に設けると、カードの短手方向の端部がシャッタ部材に接触するように変形しているカードがカードリーダ内に取り込まれたときに、カードの短手方向の端部がシャッタ部材に接触して、シャッタ部材の開閉を円滑に行うことが困難であることが本願発明者の検討によって明かになった。
【０００６】
そこで、本発明の課題は、略長方形状に形成されるカードをその短手方向に搬送して処理するカードリーダにおいて、搬送路の幅方向へ移動する磁気ヘッドを通過させるための開口部が搬送路に形成されていても、開口部を塞ぐためのシャッタ部材を円滑に動かすことが可能なカードリーダを提供することにある。
【課題を解決するための手段】
【０００７】
上記の課題を解決するため、本発明のカードリーダは、略長方形状に形成されるカードをカードの短手方向に搬送して処理するカードリーダにおいて、カードリーダ内で搬送されるカードの厚み方向の一方を第１方向とし、カードの厚み方向の他方を第２方向とし、カードリーダ内で搬送されるカードの搬送方向の一方であるカードリーダへのカードの取込方向を第３方向とし、カードの搬送方向の他方であるカードリーダからのカードの排出方向を第４方向とすると、カードを搬送するカード搬送機構と、カードが搬送される搬送路の、第１方向側の少なくとも一部を構成するガイド部と、カードに形成される磁気ストライプに第１方向側から当接してカードに記録された磁気データの読取およびカードへの磁気データの記録の少なくともいずれか一方を行う磁気ヘッドと、カードの搬送方向に直交する搬送路の幅方向へ磁気ヘッドを移動させるヘッド移動機構と、カードの搬送方向において磁気ヘッドに対するカードの位置決めを行うための位置決め部材と、搬送路の第１方向側に形成される開口部を塞ぐためのシャッタ部材とを備え、位置決め部材は、カードの第３方向端が当接するカード当接部と、カードの第３方向端がカード当接部に当接しているときにカードの第１方向側が接触可能なカード支持部とを備え、カードの第３方向端がカード当接部に当接すると、カードの搬送方向において磁気ヘッドに対してカードが位置決めされ、開口部は、カードの搬送方向における位置決め部材とガイド部との間に形成されるとともに、搬送路の幅方向へ移動する磁気ヘッドが通過するように形成され、カードの搬送方向におけるカード当接部とガイド部の第３方向端との距離は、カードの短手方向の幅よりも短くなっており、シャッタ部材が開口部を閉鎖しているときに、カードの厚み方向において、シャッタ部材の第４方向端は、ガイド部よりも第１方向側に配置され、シャッタ部材が開口部を開放しているときに、カードの厚み方向において、シャッタ部材は、ガイド部よりも第１方向側に配置され、開口部を閉鎖しているシャッタ部材によって、カード支持部へのカードの第３方向端の案内が可能となっていることを特徴とする。
【０００８】
本発明のカードリーダでは、位置決め部材は、カードの第３方向端が当接するカード当接部と、カードの第３方向端がカード当接部に当接しているときにカードの第１方向側が接触可能なカード支持部とを備えており、カードの第３方向端がカード当接部に当接すると、カードの搬送方向において磁気ヘッドに対してカードが位置決めされる。また、本発明では、磁気ヘッドが通過するように形成される開口部を閉鎖しているシャッタ部材によって、カード支持部へのカードの第３方向端の案内が可能となっている。そのため、本発明では、カードの短手方向における両端（カードの搬送方向における両端）が第１方向側に配置されるように（すなわち、シャッタ部材側に配置されるように）曲がっているカード（以下、この曲がりカードを「第１曲がりカード」とする）がカードリーダに挿入されても、第１曲がりカードが位置決めされたときに、第１曲がりカードの第３方向端をカード支持部で支持することが可能になる。
【０００９】
また、本発明では、カードの搬送方向におけるカード当接部とガイド部の第３方向端との距離がカードの短手方向の幅よりも短くなっており、シャッタ部材が開口部を閉鎖しているときに、シャッタ部材の第４方向端は、ガイド部よりも第１方向側に配置されている。そのため、本発明では、第１曲がりカードがカードリーダに挿入されても、第１曲がりカードが位置決めされたときに、第１曲がりカードの第４方向端をガイド部で支持することが可能になる。
【００１０】
このように、本発明では、第１曲がりカードがカードリーダに挿入されても、第１曲がりカードが位置決めされたときに、第１曲がりカードの第３方向端をカード支持部で支持し、かつ、第１曲がりカードの第４方向端をガイド部で支持することが可能になる。また、本発明では、シャッタ部材が開口部を開放しているときに、シャッタ部材は、ガイド部よりも第１方向側に配置されている。したがって、開口部を閉鎖しているときのシャッタ部材の位置を閉鎖位置とし、開口部を開放しているときのシャッタ部材の位置を開放位置とすると、位置決めされたカードに対して磁気ヘッドによる磁気データの読取や記録を行うため、カードの位置決め後に、閉鎖位置にあるシャッタ部材を開放位置に向かって移動させる際に、第１曲がりカードの第３方向端側および第４方向端側がシャッタ部材に接触するのを防止することが可能になるか、あるいは、第１曲がりカードの第３方向端側および第４方向端側がシャッタ部材に接触しても、その接触圧を小さくすることが可能になる。また、カードが位置決めされた状態で、開放位置にあるシャッタ部材を閉鎖位置に移動させる際に、第１曲がりカードの第３方向端側および第４方向端側がシャッタ部材に接触するのを防止することも可能になるか、あるいは、第１曲がりカードの第３方向端側および第４方向端側がシャッタ部材に接触しても、その接触圧を小さくすることが可能になる。したがって、本発明では、閉鎖位置と開放位置との間でシャッタ部材を移動させる際に、カードの接触圧に起因するシャッタ部材の負荷を少なくとも低減することが可能になる。その結果、本発明では、搬送路の幅方向へ移動する磁気ヘッドを通過させるための開口部が搬送路に形成されていても、開口部を塞ぐためのシャッタ部材を円滑に動かすことが可能になる。
【００１１】
本発明において、開口部を閉鎖しているシャッタ部材は、第３方向に向かうにしたがって第２方向側へ向かうようにカードの搬送方向に対して傾いていることが好ましい。このように構成すると、第１曲がりカードがカードリーダに挿入されたときに、第１曲がりカードの第３方向端をカード支持部へ確実に案内することが可能になる。
【００１２】
本発明において、シャッタ部材は、搬送路の幅方向へ移動する磁気ヘッドの移動力によって、開口部を閉鎖または開放することが好ましい。この場合には、たとえば、カードリーダは、シャッタ部材を作動させるシャッタ作動機構を備え、ヘッド移動機構は、磁気ヘッドが搭載されるとともに磁気ヘッドと一緒に搬送路の幅方向へ移動するキャリッジを備え、搬送路の幅方向の一方を第５方向とし、搬送路の幅方向の他方を第６方向とすると、シャッタ作動機構は、搬送路の幅方向へ直線的にスライドするスライド部材と、スライド部材をスライド可能に保持する保持部材と、第６方向へスライド部材を付勢する付勢部材と、保持部材に回動可能に保持されるとともにシャッタ部材およびスライド部材に相対回動可能に連結されるレバー部材とを備え、スライド部材には、キャリッジの、第５方向側の側面が当接可能なキャリッジ当接部が形成され、搬送路よりも第５方向側でキャリッジが待機している待機位置にキャリッジがあるときに、シャッタ部材は、開口部を閉鎖し、待機位置にあるキャリッジが第６方向へ移動すると、付勢部材の付勢力でスライド部材が第６方向へスライドし、レバー部材が回動して、開口部を閉鎖しているシャッタ部材が開口部を開放し、待機位置に向かって第６方向側から第５方向へキャリッジが移動すると、キャリッジ当接部にキャリッジが当接し、ヘッド移動機構の動力でスライド部材が第５方向へスライドして、レバー部材が回動し、開口部を開放しているシャッタ部材が開口部を閉鎖する。このように構成すると、シャッタ部材を動作させるための駆動源を別途設ける必要がなくなる。したがって、カードリーダの構成を簡素化することが可能になる。
【００１３】
本発明において、第５方向へ移動するキャリッジがキャリッジ当接部に当接するときに、磁気ヘッドのギャップは、磁気ストライプの磁気データ記録領域よりも第５方向側に配置されていることが好ましい。このように構成すると、ヘッド移動機構の動力を用いて、シャッタ部材を開放位置から閉鎖位置へ移動させても、磁気ヘッドによる磁気データの読取精度や記録精度の低下を防止することが可能になる。
【００１４】
本発明において、カードリーダは、シャッタ部材を作動させるシャッタ作動機構を備え、シャッタ作動機構は、搬送路の幅方向へ直線的にスライドするスライド部材と、スライド部材をスライド可能に保持する保持部材と、保持部材に回動可能に保持されるとともにシャッタ部材およびスライド部材に相対回動可能に連結されるレバー部材とを備え、シャッタ部材およびレバー部材は、平板状に形成され、その厚み方向とカードの厚み方向とが略一致するように配置されていることが好ましい。このように構成すると、カードの厚み方向において、シャッタ部材およびシャッタ作動機構を小型化することが可能になる。したがって、カードの厚み方向においてカードリーダを小型化することが可能になる。
【００１５】
本発明において、搬送路の幅方向における開口部の幅およびシャッタ部材の幅は、カードリーダ内で搬送されるカードの長手方向の幅よりも広くなっていることが好ましい。このように構成すると、搬送路の幅方向における開口部の幅が広くなっているため、磁気ヘッドが磁気ストライプに当接する際に、磁気ヘッドの移動速度等の磁気ヘッドの挙動を安定させることが可能になる。したがって、磁気ヘッドによる磁気データの読取精度や記録精度を確保することが可能になる。また、このように構成すると、搬送路の幅方向におけるシャッタ部材の幅が広くなっているため、搬送路の幅方向における開口部の幅が広くなっていても、開口部からの異物や塵埃の侵入をシャッタ部材によって阻止することが可能になる。
【発明の効果】
【００１６】
以上のように、本発明では、略長方形状に形成されるカードをその短手方向に搬送して処理するカードリーダにおいて、搬送路の幅方向へ移動する磁気ヘッドを通過させるための開口部が搬送路に形成されていても、開口部を塞ぐためのシャッタ部材を円滑に動かすことが可能になる。
【図面の簡単な説明】
【００１７】
【図１】本発明の実施の形態にかかるカードリーダの斜視図である。
【図２】図１に示すカードリーダの概略構成を側面から説明するための図である。
【図３】図１に示すカードの平面図である。
【図４】図２に示すヘッド移動機構の構成を上面から説明するための図である。
【図５】図２に示すヘッド移動機構の構成を正面から説明するための図である。
【図６】図２に示す位置決め機構の動作およびシャッタ部材の動作を側面から説明するための図である。
【図７】図２に示すシャッタ部材およびシャッタ作動機構の斜視図であり、（Ａ）はシャッタ部材が開口部を閉鎖している状態を示す図、（Ｂ）はシャッタ部材が開口部を開放している状態を示す図である。
【図８】図２に示すシャッタ部材が開口部を閉鎖している状態のシャッタ部材およびシャッタ作動機構の平面図である。
【図９】図２に示すシャッタ部材が開口部を開放している状態のシャッタ部材およびシャッタ作動機構の平面図である。
【図１０】図１に示すカードリーダの効果を説明するための図である。
【発明を実施するための形態】
【００１８】
以下、図面を参照しながら、本発明の実施の形態を説明する。
【００１９】
（カードリーダの概略構成）
図１は、本発明の実施の形態にかかるカードリーダ１の斜視図である。図２は、図１に示すカードリーダ１の概略構成を側面から説明するための図である。図３は、図１に示すカード２の平面図である。
【００２０】
本形態のカードリーダ１は、カード２に記録された磁気データの読取およびカード２への磁気データの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入される挿入口３が形成されるカード挿入部４を備えている。図２に示すように、カードリーダ１の内部には、カード２が搬送される搬送路５が形成されている。搬送路５は、挿入口３に繋がるように形成されている。
【００２１】
また、カードリーダ１は、カード２を搬送するカード搬送機構６と、カード２に当接してカード２に記録された磁気データの読取やカード２への磁気データの記録を行う磁気ヘッド７と、カード２の搬送方向に直交する方向へ磁気ヘッド７を移動させるヘッド移動機構８と、カードリーダ１内に取り込まれたカード２を位置決めするための位置決め機構１０とを備えている。搬送路５には、磁気ヘッド７を通過させるための開口部１３が形成されている。カードリーダ１は、開口部１３を塞ぐためのシャッタ部材１４と、シャッタ部材１４を作動させるシャッタ作動機構１５とを備えている。
【００２２】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプ２ａが形成されている。なお、カード２には、ＩＣチップが内蔵されても良い。
【００２３】
磁気ストライプ２ａは、略長方形状に形成されるカード２の長手方向（図３のＵ方向）に平行な細長い帯状に形成されている。この磁気ストライプ２ａは、カード２の長手方向の全域に形成されている。また、磁気ストライプ２ａは、カード２の短手方向（図３のＶ方向）において、カード２の短手方向における一端２ｄ側に形成されている。具体的には、国際規格やＪＩＳ規格に基づいて、磁気ストライプ２ａは、カード２の短手方向において、カード２の一端２ｄを基準とする所定の範囲内に形成されている。
【００２４】
本形態では、図１等に示すＸ方向でカード２が搬送される。具体的には、Ｘ１方向にカード２が取り込まれ、Ｘ２方向にカード２が排出される。すなわち、Ｘ方向は、カード２の搬送方向であり、Ｘ１方向は、カード２の取込方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向でカード２を搬送して所定の処理を行う。
【００２５】
また、Ｘ方向に直交するＹ方向は、搬送路５の幅方向であり、カードリーダ１内に正しい姿勢で取り込まれたカード２の長手方向である。また、Ｘ方向とＹ方向とに直交する図１等のＺ方向は、搬送路５の高さ方向であり、カードリーダ１内に取り込まれたカード２の厚み方向である。本形態では、Ｚ方向と鉛直方向とが一致するようにカードリーダ１が配置されている。以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２６】
本形態のＺ２方向（下方向）は、カード２の厚み方向の一方である第１方向であり、Ｚ１方向（上方向）は、カード２の厚み方向の他方である第２方向であり、Ｘ１方向（奥方向）は、カード２の取込方向である第３方向であり、Ｘ２方向（前方向）は、カード２の排出方向である第４方向である。また、Ｙ２方向（左方向）は、搬送路５の幅方向の一方である第５方向であり、Ｙ１方向（右方向）は、搬送路５の幅方向の他方である第６方向である。
【００２７】
（カード搬送機構の構成および搬送路の構成）
搬送路５は、前後方向におけるカードリーダ１の略全域に形成されている。カード搬送機構６は、カード２の上面に接触してカード２を搬送する搬送ローラ１８〜２０と、下側から搬送ローラ１８〜２０に対向配置されるパッドローラ２１〜２３とを備えている。搬送ローラ１８は、カード挿入部４の内部に配置されている。搬送ローラ１９、２０は、カード挿入部４の奥側に配置されるカードリーダ１の本体部２５の内部に配置されている。搬送ローラ１９は、前後方向において、磁気ヘッド７よりも前側に配置されている。搬送ローラ２０は、磁気ヘッド７よりも奥側に配置されるとともに、位置決め機構１０を構成する後述の位置決め部材５０のカード当接部５０ａよりも奥側に配置されている。搬送ローラ１８〜２０には、ベルト、プーリおよび歯車列等によって構成される動力伝達機構２６を介してモータ２７が連結されている。パッドローラ２１は、搬送ローラ１８に向かって付勢され、パッドローラ２２は、搬送ローラ１９に向かって付勢され、パッドローラ２３は、搬送ローラ２０に向かって付勢されている。
【００２８】
本体部２５の内部には、カード２の下面を案内するガイド部材２９、３０が配置されている。ガイド部材２９、３０は、カードリーダ１の本体部２５のフレームに固定されている。このガイド部材２９、３０は、搬送路５の下側の一部を構成するガイド部２９ａ、３０ａを備えており、ガイド部２９ａ、３０ａによってカード２の下面が案内される。ガイド部２９ａは、前後方向において、磁気ヘッド７よりも前側に配置されている。ガイド部３０ａは、前後方向において、磁気ヘッド７よりも奥側に配置されるとともに、位置決め機構１０と略同じ位置に配置されている。
【００２９】
搬送路５の下面の、ガイド部２９ａとガイド部３０ａとの間は、上述の開口部１３となっている。すなわち、開口部１３は、搬送路５の下面側に形成されている。この開口部１３は、左右方向における搬送路５の略全域に形成されている。左右方向における開口部１３の幅は、搬送路５で搬送されるカード２の長手方向の幅Ｗ１（図３参照）よりも広くなっている。また、開口部１３は、左右方向へ移動する磁気ヘッド７が通過するように形成されている。また、位置決め機構１０を構成する後述の位置決め部材５０は、前後方向において、ガイド部材３０のガイド部３０ａと略同じ位置に配置されており、開口部１３は、前後方向におけるガイド部２９ａと位置決め部材５０との間に形成されている。
【００３０】
（ヘッド移動機構の構成および磁気ヘッドの周辺部分の構成）
図４は、図２に示すヘッド移動機構８の構成を上面から説明するための図である。図５は、図２に示すヘッド移動機構８の構成を正面から説明するための図である。
【００３１】
磁気ヘッド７は、前後方向において、ガイド部２９ａとガイド部３０ａとの間に配置されている。ヘッド移動機構８は、磁気ヘッド７が搭載されるキャリッジ３２と、左右方向へキャリッジ３２を案内するガイド軸３３と、キャリッジ３２を左右方向へ送るリードスクリュー３４と、磁気ヘッド７を上下動させるためのカム板３５と、ガイド軸３３を中心とするキャリッジ３２の回動を防止するための回動防止軸３６とを備えている。キャリッジ３２は、キャリッジ本体３７と、磁気ヘッド７を保持するヘッド保持部材３８とを備えている。キャリッジ本体３７には、リードスクリュー３４に係合するメネジ部材３９と、ガイド軸３３に係合する摺動軸受４０と、回動防止軸３６に係合する摺動部材４１とが取り付けられている。リードスクリュー３４には、プーリおよびベルトから構成される動力伝達機構４２を介してモータ４３が連結されている。
【００３２】
キャリッジ本体３７には、ヘッド保持部材３８を回動可能に保持する固定軸４４が左右方向を軸方向として固定されている。キャリッジ本体３７とヘッド保持部材３８との間には、ネジリコイルバネ４５が配置されており、ヘッド保持部材３８は、ネジリコイルバネ４５の付勢力によって、固定軸４４を中心にして、磁気ヘッド７が上昇する方向へ付勢されている。カム板３５は、左右方向に細長い長尺状に形成されており、ヘッド保持部材３８には、左右方向におけるカム板３５の両端側に形成されるカム３５ａに当接するローラ４６が回転可能に取り付けられている。
【００３３】
本形態では、モータ４３が駆動して、リードスクリュー３４が回転すると、ガイド軸３３に沿って、磁気ヘッド７がキャリッジ３２とともに左右方向へ移動する。左右方向における両端側では、カム３５ａにローラ４６が当接しており、図５の二点鎖線で示すように、磁気ヘッド７は、ネジリコイルバネ４５の付勢力に抗して搬送路５よりも下側へ退避している。すなわち、左右方向へ移動する磁気ヘッド７は、左右方向の両端側においては、搬送路５から下側へ退避するヘッド退避位置にある。
【００３４】
一方、磁気ヘッド７がキャリッジ３２とともに左右方向へ移動して、カム３５ａからローラ４６が外れると、カム３５ａによって搬送路５よりも下側に退避するように案内されていた磁気ヘッド７がネジリコイルバネ４５の付勢力で上昇して、カード２の磁気ストライプ２ａに下側から当接可能になる。すなわち、カム３５ａからローラ４６が外れているときには、磁気ヘッド７は、磁気ストライプ２ａに当接可能なヘッド当接位置にある。磁気ヘッド７が磁気ストライプ２ａに当接しながら、キャリッジ３２が左右方向へ移動することで、磁気ヘッド７によって磁気データの読取や記録が行われる。磁気ヘッド７が左右方向へ移動する際には、磁気ヘッド７は、開口部１３を通過する。
【００３５】
このように、ヘッド移動機構８は、磁気ヘッド７を左右方向へ移動させるとともに、磁気ヘッド７が磁気ストライプ２ａに当接可能なヘッド当接位置と磁気ヘッド７が搬送路５から退避するヘッド退避位置との間で磁気ヘッド７を移動させる。また、カードリーダ１にカード２が挿入される前の待機状態では、磁気ヘッド７は、その移動範囲の左端のヘッド退避位置で待機している。このときには、磁気ヘッド７およびキャリッジ３２は、搬送路５よりも左側に配置している。すなわち、カードリーダ１にカード２が挿入される前の待機状態では、磁気ヘッド７およびキャリッジ３２は、磁気ヘッド７が搬送路５から下側に退避した状態で、かつ、搬送路５よりも左側で待機している。
【００３６】
磁気ヘッド７の上側には、ヘッド当接位置にある磁気ヘッド７とカード２とを所定の当接圧で当接させるための対向面４７ａが形成される対向部材４７が配置されている。この対向部材４７は、カードリーダ１の本体部２５のフレームに固定されている。対向面４７ａは、搬送路５の上側の一部を構成している。また、対向面４７ａは、上下方向に直交する平面状に形成されている。磁気ヘッド７がヘッド当接位置にあるときには、図５に示すように、対向面４７ａと磁気ヘッド７との間にカード２が挟まれている。このときには、正しい姿勢で挿入されたカード２の磁気ストライプ２ａに磁気ヘッド７が下側から所定の当接圧で当接している。
【００３７】
（位置決め機構の構成）
図６は、図２に示す位置決め機構１０の動作およびシャッタ部材１４の動作を側面から説明するための図である。
【００３８】
位置決め機構１０は、前後方向において磁気ヘッド７に対するカード２の位置決めを行うための位置決め部材５０を備えている。本形態の位置決め機構１０は、左右方向に所定の間隔をあけた状態で配置される２個の位置決め部材５０を備えている。また、位置決め機構１０は、回動可能な位置決め部材５０の動きを検知するセンサ５１を備えている。センサ５１は、発光素子とこの発光素子からの光を受光する受光素子とを備える透過型の光学式センサである。
【００３９】
位置決め部材５０は、平板状に形成されており、その厚み方向と左右方向とが略一致するように配置されている。この位置決め部材５０は、カードリーダ１内に取り込まれたカード２の奥端が当接するカード当接部５０ａと、カード２の奥端がカード当接部５０ａに当接しているときにカード２の下面側が接触可能なカード支持部５０ｂと、カード当接部５０ａの上端から略上側に向かって延びる腕部５０ｃとを備えている。位置決め部材５０は、カード当接部５０ａと腕部５０ｃとの境界部において、左右方向を軸方向として配置される固定軸に回動可能に保持されている。また、位置決め部材５０は、前後方向において、ガイド部材３０のガイド部３０ａと略同じ位置に配置されている。
【００４０】
カード当接部５０ａは、上下方向に細長い略長方形状に形成されている。カード支持部５０ｂは、カード当接部５０ａの下端に繋がっており、位置決め部材５０の下端側部分を構成している。このカード支持部５０ｂは、左右方向から見たときの形状が略台形状となるように形成されている。カード支持部５０ｂの前端側は、カード当接部５０ａの前端よりも前側へ突出している。また、カード支持部５０ｂの前端面の上端側は、前側に向かうにしたがって下方向へ向かうように傾斜した傾斜面となっており、この傾斜面にカード２の下面側が接触可能となっている。すなわち、この傾斜面によってカード２の下面側を支持することが可能となっている。
【００４１】
腕部５０ｃの上端側には、センサ５１の発光素子と受光素子との間を遮る遮光部５０ｄが形成されている。遮光部５０ｄの下側には、図示を省略する引張りコイルバネの一端が係合するバネ係合部５０ｅが形成されている。引張りコイルバネの他端は、本体部２５のフレームに固定されており、位置決め部材５０は、引張りコイルバネによって、図６の反時計回りの方向（反時計方向）へ付勢されている。
【００４２】
本形態では、カード当接部５０ａにカード２が当接していないときには、引張りコイルバネの付勢力によって、位置決め部材５０は、カード当接部５０ａの前端面が上下方向に対して奥側へわずかに傾くように、反時計方向へ付勢されている（図６（Ａ）参照）。この状態で、挿入口３から挿入されカード搬送機構６によって奥側へ搬送されたカード２の奥端がカード当接部５０ａに当接すると、図６（Ｂ）に示すように、カード当接部５０ａがカード２に押されて、位置決め部材５０が図６の時計回りの方向へ回動し、図示を省略するストッパに当接する。
【００４３】
位置決め部材５０がストッパに当接すると、前後方向において、カード２が位置決めされる。このときには、カード当接部５０ａの前端面は、上下方向と略平行になっている。カード２の奥端がカード当接部５０ａに当接してカード２が位置決めされているときの、前後方向におけるカード当接部５０ａとガイド部材２９のガイド部２９ａの奥端との距離Ｌ（図６（Ｃ）参照）は、カード２の短手方向の幅Ｗ２よりも短くなっている。すなわち、本形態では、前後方向におけるカード当接部５０ａとガイド部２９ａの奥端との距離は、カード２の短手方向の幅Ｗ２よりも短くなっている。
【００４４】
図６（Ａ）に示すように、カード当接部５０ａにカード２が当接していないときには、遮光部５０ｄは、センサ５１の発光素子と受光素子との間から外れている。一方、図６（Ｂ）に示すように、カード２の奥端がカード当接部５０ａに当接しているときには、遮光部５０ｄは、センサ５１の発光素子と受光素子との間を遮っている。本形態では、センサ５１の発光素子から受光素子へ向かう光が遮光部５０ｄによって遮られることで、カード２の奥端が２個のカード当接部５０ａに当接して前後方向においてカード２が位置決めされたことが検知される。
【００４５】
なお、位置決め機構１０は、搬送路５からカード当接部５０ａおよびカード支持部５０ｂを退避させる退避機構（図示省略）を備えている。この退避機構が駆動すると、カード当接部５０ａおよびカード支持部５０ｂが搬送路５から上側へ退避して搬送ローラ２０およびパッドローラ２３に向かってカード２が通過可能になる。本形態では、カード当接部５０ａおよびカード支持部５０ｂは、通常、カード２の奥端がカード当接部５０ａに当接可能な位置にあり、所定の処理を行う場合に、搬送路５から上側へ退避する。
【００４６】
（シャッタ部材の構成およびシャッタ作動機構の構成）
図７は、図２に示すシャッタ部材１４およびシャッタ作動機構１５の斜視図であり、（Ａ）はシャッタ部材１４が開口部１３を閉鎖している状態を示す図、（Ｂ）はシャッタ部材１４が開口部１３を開放している状態を示す図である。図８は、図２に示すシャッタ部材１４が開口部１３を閉鎖している状態のシャッタ部材１４およびシャッタ作動機構１５の平面図である。図９は、図２に示すシャッタ部材１４が開口部１３を開放している状態のシャッタ部材１４およびシャッタ作動機構１５の平面図である。
【００４７】
シャッタ部材１４は、平板状に形成されている。このシャッタ部材１４は、その厚み方向が上下方向と略一致するように配置されている。また、シャッタ部材１４は、左右方向に細長い略長方形状に形成されている。シャッタ部材１４の左右方向の幅Ｗ１０（図８参照）は、カードリーダ１内で搬送されるカード２の長手方向の幅Ｗ１よりも広くなっている。
【００４８】
シャッタ部材１４の奥端側には、位置決め部材５０との干渉を防止するための切欠き部１４ａが形成されている。切欠き部１４ａは、シャッタ部材１４の奥端面から前側に向かって窪むように形成されている。シャッタ部材１４の前端側には、前側に向かって真っすぐ突出する２個の突出部１４ｂが形成されている。また、前後方向におけるシャッタ部材１４の略中心位置には、丸孔状の２個の貫通孔１４ｃが形成されている。貫通孔１４ｃは、シャッタ部材１４を上下方向で貫通するように形成されている。
【００４９】
２個の突出部１４ｂは、左右方向に所定の間隔をあけた状態で形成され、２個の貫通孔１４ｃは、左右方向に所定の間隔をあけた状態で形成されている。具体的には、シャッタ作動機構１５を構成する後述の２本のレバー部材５８の左右方向における配置間隔と同じ間隔で、２個の突出部１４ｂおよび２個の貫通孔１４ｃが形成されている。２個の突出部１４ｃのうちの一方の突出部１４ｃは、シャッタ部材１４の右端側に形成されている。また、２個の貫通孔１４ｃのうちの一方の貫通孔１４ｃは、シャッタ部材１４の左端側に形成されている。
【００５０】
シャッタ作動機構１５は、左右方向に直線的にスライドするスライド部材５５と、スライド部材５５をスライド可能に保持する保持部材５６と、スライド部材５５を左方向へ付勢する付勢部材としての引張りコイルバネ５７と、保持部材５６に回動可能に保持されるとともにシャッタ部材１４およびスライド部材５５に回動可能に連結される２本のレバー部材５８とを備えている。
【００５１】
保持部材５６は、スライド部材５５およびレバー部材５８を保持する保持部５６ａと、本体部２５のフレームに固定される２個の被固定部５６ｂとを備えている。保持部５６ａは、平板状に形成されており、その厚み方向と上下方向とが略一致するように配置されている。被固定部５６ｂは、平板状に形成されており、その厚み方向と左右方向とが略一致するように配置されている。２個の被固定部５６ｂのそれぞれは、保持部５６ａの左右両端から上側に向かって立ち上がるように形成されている。
【００５２】
保持部５６ａの奥端側には、奥側に向かって真っすぐ突出する２個の突出部５６ｃが形成されている。２個の突出部５６ｃは、左右方向に所定の間隔をあけた状態で形成されている。具体的には、２個の突出部５６ｃは、左右方向における２本のレバー部材５８の配置間隔と同じ間隔で形成されている。２個の突出部５６ｃのうちの一方の突出部５６ｃは、保持部５６ａの右端側に形成されている。また、突出部５６ｃは、奥側に向かうにしたがって上側へ向かうように、前後方向と左右方向とから構成されるＸＹ平面に対してわずかに傾いている。具体的には、突出部５６ｃは、ＸＹ平面に対して３°〜５°程度傾いている。突出部５６ｃの先端側（奥端側）には、レバー部材５８の回動中心となる固定軸６０が固定されている。固定軸６０は、その軸方向と上下方向とが一致するように、突出部５６ｃの上面側に固定されている。
【００５３】
また、保持部５６ａの前端側には、スライド部材５５を左右方向へ案内する２本のガイド軸６１が固定されている。２本のガイド軸６１は、左右方向に所定の間隔をあけた状態で保持部５６ａに固定されている。具体的には、２本のガイド軸６１は、左右方向における２本のレバー部材５８の配置間隔と同じ間隔で固定されている。また、ガイド軸６１は、その軸方向と上下方向とが一致するように、保持部５６ａの上面側に固定されている。さらに、左右方向における２本のガイド軸６１の間には、上下方向に貫通する略長方形状の開口部５６ｄが形成されている。開口部５６ｄには、引張りコイルバネ５７が配置されている。また、開口部５６ｄの右側の縁には、引張りコイルバネ５７の一端が取り付けられるバネ取付部５６ｅが形成されている。
【００５４】
スライド部材５５は、保持部５６ａの上側に配置されるスライド部５５ａと、右端側から左方向へ移動するキャリッジ３２が当接可能なキャリッジ当接部５５ｂと、スライド部５５ａとキャリッジ当接部５５ｂとを繋ぐ連結部５５ｃとを備えている。スライド部５５ａは、平板状に形成されており、その厚み方向と上下方向とが略一致するように配置されている。キャリッジ当接部５５ｂは、平板状に形成されており、その厚み方向と左右方向とが略一致するように配置されている。連結部５５ｃは、平板状に形成されており、その厚み方向と前後方向とが略一致するように配置されている。
【００５５】
連結部５５ｃは、スライド部５５ａの左奥端側から左方向へ伸びるように形成されている。また、連結部５５ｃは、スライド部５５ａの下面に繋がるように形成されており、スライド部５５ａよりも下側に配置されている。キャリッジ当接部５５ｂは、連結部５５ｃの左端から奥側に向かって立ち上るように形成されている。また、キャリッジ当接部５５ｂは、２個の被固定部５６ｂのうちの左側に配置される被固定部５６ｂよりも左側に配置されている。キャリッジ当接部５５ｂには、キャリッジ３２の左側面が当接可能となっている（図４参照）。連結部５５ｃの右端側は、保持部材５６の下側に配置されている。
【００５６】
スライド部５５ａの奥端側には、奥側に向かって突出する２個の突出部５５ｄ、５５ｅが形成されている。突出部５５ｄは、スライド部５５ａの左端側に形成され、突出部５５ｅは、スライド部５５ａの右端側に形成されている。突出部５５ｄは、奥側に向かって直線状に突出している。突出部５５ｅは、奥側に向かって突出した後、右側に向かって突出しており、上下方向から見たときの突出部５５ｅの形状は、略Ｌ形状となっている。突出部５５ｄ、５５ｅの先端側（奥端側）には、レバー部材５８に形成される後述の係合溝５８ａに係合する係合軸６２が固定されている。係合軸６２は、その軸方向と上下方向とが一致するように、突出部５５ｄ、５５ｅの上面側に固定されている。また、２本の係合軸６２は、左右方向における２本のレバー部材５８の配置間隔と同じ間隔で配置されている。
【００５７】
また、スライド部５５ａの前端側には、２本のガイド軸６１のそれぞれが係合する２個の係合溝５５ｆが形成されている。係合溝５５ｆは、左右方向に長い長孔状に形成されている。また、係合溝５５ｆは、スライド部５５ａを上下方向で貫通するように形成されている。２個の係合溝５５ｆは、左右方向に所定の間隔をあけた状態で形成されている。ガイド軸６１は、保持部材５６に対してスライド部材５５が左右方向へスライド自在となるように、係合溝５５ｆに係合している。
【００５８】
また、左側に配置される係合溝５５ｆの右端に繋がるように、開口部５５ｇが形成されている。開口部５５ｇは、スライド部５５ａを上下方向で貫通するように形成されている。開口部５５ｇの右側の縁には、引張りコイルバネ５７の他端が取り付けられるバネ取付部５５ｈが形成されている。スライド部材５５は、引張りコイルバネ５７の付勢力によって右側に付勢されている。なお、スライド部材５５の右方向への移動範囲は、図９に示すように、係合溝５５ｆの左端にガイド軸６１が当接することで規制される。
【００５９】
レバー部材５８は、平板状に形成されており、その厚み方向と上下方向とが略一致するように配置されている。２本のレバー部材５８は、左右方向に所定の間隔をあけた状態で配置されている。レバー部材５８の一端側かつ奥端側には、固定軸６０が挿通される貫通孔が形成されている。この貫通孔には、固定軸６０が下側から挿通されており、レバー部材５８は、保持部材５６の保持部５６ａよりも上側に配置されている。固定軸６０は、保持部材５６に対してレバー部材５８が相対回動可能となるように、貫通孔に係合している。
【００６０】
また、レバー部材５８の一端側かつ前端側には、係合軸６２が係合する係合溝５８ａが形成されている。係合溝５８ａは、レバー部材５８を上下方向で貫通するように形成されている。係合溝５８ａには、係合軸６２が下側から係合しており、レバー部材５８は、スライド部材５５のスライド部５５ａよりも上側に配置されている。係合軸６２は、スライド部材５５に対してレバー部材５８が相対回動可能となるように、係合溝５８ａに係合している。
【００６１】
レバー部材５８の他端側は、レバー部材５８の一端側よりも左側に配置されている。レバー部材５８の他端側には、固定軸６３が固定されている。固定軸６３は、その軸方向と上下方向とが一致するように、レバー部材５８の上面側に固定されている。固定軸６３は、シャッタ部材１４の貫通孔１４ｃに下側から挿通されており、シャッタ部材１４は、レバー部材５８よりも上側に配置されている。固定軸６３は、レバー部材５８に対してシャッタ部材１４が相対回動可能となるように、貫通孔１４ｃに係合している。
【００６２】
上述のように、保持部材５６の突出部５６ｃは、奥側に向かうにしたがって上側へ向かうようにＸＹ平面に対してわずかに傾いている。そのため、突出部５６ｃに固定された固定軸６０を中心に回動可能なレバー部材５８も、奥側に向かうにしたがって上側へ向かうようにＸＹ平面に対してわずかに傾いている。また、レバー部材５８に固定された固定軸６３を中心に回動可能なシャッタ部材１４も、奥側に向かうにしたがって上側へ向かうようにＸＹ平面に対してわずかに傾いている。すなわち、シャッタ部材１４が開口部１３を閉鎖しているとき、および、シャッタ部材１４が開口部１３を開放しているときの両者において、シャッタ部材１４およびレバー部材５８は、奥側に向かうにしたがって上側へ向かうようにＸＹ平面に対してわずかに傾いている。
【００６３】
本形態では、搬送路５よりも左側で磁気ヘッド７およびキャリッジ３２が待機している待機位置にキャリッジ３２があるときには、キャリッジ３２の左側面にキャリッジ当接部５５ｂが当接しており、スライド部材５５は、引張りコイルバネ５７の付勢力に抗して左側へ移動している。このときには、シャッタ部材１４は、図７（Ａ）および図８に示すように、奥側に配置されており、図６（Ａ）に示すように、開口部１３を閉鎖している。
【００６４】
待機位置にあるキャリッジ３２が右方向へ移動すると、引張りコイルバネ５７の付勢力で、スライド部材５５が右方向へスライドする。スライド部材５５が右方向へスライドすると、レバー部材５８が固定軸６０を中心にして図８の反時計回りの方向（反時計方向）へ回動する。レバー部材５８が反時計方向へ回動すると、図７（Ｂ）および図９に示すようにシャッタ部材１４が前側へ移動して、図６（Ｃ）に示すように、開口部１３を開放する。
【００６５】
また、待機位置に向かって右側から左方向へキャリッジ３２が移動して、キャリッジ当接部５５ａにキャリッジ３２の左側面が当接すると、ヘッド移動機構８の動力（具体的には、モータ４３の動力）でスライド部材５５が左方向へスライドする。スライド部材５５が左方向へスライドすると、レバー部材５８が固定軸６０を中心にして図８の時計回りの方向（時計方向）へ回動する。レバー部材５８が時計方向へ回動すると、図７（Ａ）および図８に示すようにシャッタ部材１４が奥側へ移動して、図６（Ａ）に示すように、開口部１３を閉鎖する。
【００６６】
このように、本形態では、シャッタ部材１４は、引張りコイルバネ５７の付勢力によって、開口部１３を開放するとともに、左方向へ移動する磁気ヘッド７の移動力によって、開口部１３を閉鎖する。また、本形態では、磁気ストライプ２ａに当接可能なヘッド当接位置まで磁気ヘッド７が移動する前に、シャッタ部材１４は開口部１３を開放する。さらに、本形態では、左方向へ移動するキャリッジ３２の左側面がキャリッジ当接部５５ｂに当接するときには、磁気ヘッド７のギャップは、カード２の磁気ストライプ２ａの磁気データ記録領域よりも左側に配置されている。すなわち、左方向へ移動するキャリッジ３２の左側面は、磁気ヘッド７のギャップが磁気ストライプ２ａの磁気データ記録領域を抜けた後にキャリッジ当接部５５ｂに当接する。より具体的には、左方向へ移動するキャリッジ３２の左側面がキャリッジ当接部５５ｂに当接するときに、磁気ヘッド７のギャップは、カード２の左端よりも左側に配置されており、磁気ヘッド７は、退避位置に向かって退避し始めている。すなわち、左方向へ移動するキャリッジ３２の左側面は、磁気ヘッド７のギャップがカード２から外れて磁気ヘッド７が退避位置に向かって退避し始めた後にキャリッジ当接部５５ｂに当接する。
【００６７】
図６（Ａ）、（Ｂ）に示すように、シャッタ部材１４が開口部１３を閉鎖しているときに、シャッタ部材１４の前端は、ガイド部材２９のガイド部２９ａよりも下側に配置されている。具体的には、シャッタ部材１４が開口部１３を閉鎖しているときに、シャッタ部材１４の前端は、ガイド部２９ａの下に配置されている。また、図６（Ｃ）に示すように、シャッタ部材１４が開口部１３を開放しているときに、シャッタ部材１４は、ガイド部２９ａよりも下側に配置されている。具体的には、シャッタ部材１４が開口部１３を開放しているときに、シャッタ部材１４の全体がガイド部２９ａの下に配置されている。すなわち、シャッタ部材１４が開口部１３を開放しているときに、シャッタ部材１４の前端および奥端は、ガイド部２９ａの下に配置されている。
【００６８】
また、シャッタ部材１４が開口部１３を閉鎖しているときであって、かつ、位置決め部材５０のカード当接部５０ａにカード２が当接していないときには、図６（Ａ）に示すように、位置決め部材５０のカード支持部５０ｂの前上端側の一部がシャッタ部材１４の切欠き部１４ａの中に配置されており、左右方向から見たときにカード支持部５０ｂの前上端側の傾斜面の一部がシャッタ部材１４と重なっている。そのため、開口部１３を閉鎖しているシャッタ部材１４によって、カード支持部５０ｂへのカード２の奥端の案内が可能となっている。
【００６９】
また、本形態では、シャッタ部材１４が開口部１３を閉鎖しているときであって、かつ、カード当接部５０ａにカード２が当接してカード２が前後方向で位置決めされているときには、シャッタ部材１４の奥端は、カード当接部５０ａとカード支持部５０ｂとの境界部分よりもわずかに上側に配置されている。また、カード当接部５０ａにカード２が当接してカード２が前後方向で位置決めされているときの、カード当接部５０ａとカード支持部５０ｂとの境界部分は、上下方向において、ガイド部２９ａの上面と略同じ位置に配置されている。
【００７０】
なお、シャッタ部材１４が開口部１３を閉鎖しているとき、および、シャッタ部材１４が開口部１３を開放しているときの両者において、レバー部材５８の全体は、シャッタ部材１４およびガイド部２９ａの少なくともいずれか一方の下に配置されている。また、シャッタ部材１４が開口部１３を閉鎖しているとき、および、シャッタ部材１４が開口部１３を開放しているときの両者において、保持部材５６の保持部５６ａおよびスライド部材５５のスライド部５５ａは、ガイド部２９ａの下に配置されている。
【００７１】
（カードリーダの概略動作）
以上のように構成されたカードリーダ１では、挿入口３からカード２が挿入される前の待機時には、図６（Ａ）に示すように、シャッタ部材１４は、開口部１３を閉鎖している。また、この待機時には、搬送路５よりも左側で磁気ヘッド７およびキャリッジ３２が待機している待機位置にキャリッジ３２がある。この状態で、カード２が挿入口３から挿入されたことが検知されると、モータ２７が起動して、カード搬送機構６がカード２を奥側へ搬送する。図６（Ｂ）に示すように、カード２の奥端が位置決め部材５０のカード当接部５０ａに当接すると、センサ５１の発光素子から受光素子へ向かう光が遮光部５０ｄによって遮られて、前後方向においてカード２が位置決めされたことが検知される。
【００７２】
カード２が位置決めされたことが検知されると、モータ２７が停止する。その後、モータ４３が起動し、待機位置にあるキャリッジ３２が右方向へ移動して、上述のように、シャッタ部材１４が開口部１３を開放する。また、図６（Ｃ）に示すように、磁気ヘッド７がカード２の磁気ストライプ２ａに当接しながら右方向へ移動するとともに、その後、左方向へ移動して、磁気データの読取や記録を行う。また、待機位置に向かって左方向へキャリッジ３２が移動して、上述のように、シャッタ部材１４が開口部１３を閉鎖する。
【００７３】
（本形態の主な効果）
以上説明したように、本形態では、位置決め部材５０は、カードリーダ１内に取り込まれたカード２の奥端が当接するカード当接部５０ａと、カード２の奥端がカード当接部５０ａに当接しているときにカード２の下面側が接触可能なカード支持部５０ｂとを備えており、カード２の奥端がカード当接部５０ａに当接すると、前後方向においてカード２が位置決めされる。また、本形態では、開口部１３を閉鎖しているシャッタ部材１４によって、カード支持部５０ｂへのカード２の奥端の案内が可能となっている。そのため、本形態では、図１０に示すように、カード２の短手方向における両端が下側に配置されるように曲がっているカード２（以下、この曲がりカード２を「カード２Ａ」とする）がカードリーダ１に挿入されても、カード２Ａが位置決めされたときに、カード２Ａの奥端をカード支持部５０ｂで支持することが可能になる。
【００７４】
また、本形態では、カード２の奥端がカード当接部５０ａに当接してカード２が位置決めされているときの、前後方向におけるカード当接部５０ａとガイド部材２９のガイド部２９ａの奥端との距離Ｌがカード２の短手方向の幅Ｗ２よりも短くなっており、かつ、シャッタ部材１４が開口部１３を閉鎖しているときに、シャッタ部材１４の前端は、ガイド部２９ａの下に配置されている。そのため、本形態では、カード２Ａがカードリーダ１に挿入されても、カード２Ａが位置決めされたときに、カード２Ａの前端をガイド部２９ａで支持することが可能になる。
【００７５】
このように、本形態では、カード２Ａがカードリーダ１に挿入されても、カード２Ａが位置決めされたときに、図１０に示すように、カード２Ａの奥端をカード支持部５０ｂで支持し、かつ、カード２Ａの前端をガイド部２９ａで支持することが可能になる。また、本形態では、シャッタ部材１４が開口部１３を開放しているときに、シャッタ部材１４の全体がガイド部２９ａの下に配置されている。したがって、開口部１３を閉鎖しているときのシャッタ部材１４の位置を閉鎖位置（図１０（Ａ）参照）とし、開口部１３を開放しているときのシャッタ部材１４の位置を開放位置（図１０（Ｂ）参照）とすると、カード２Ａの位置決め後に、閉鎖位置にあるシャッタ部材１４を開放位置に向かって移動させる際に、カード２Ａの奥端側および前端側がシャッタ部材１４に接触するのを防止することが可能になるか、あるいは、カード２Ａの奥端側がシャッタ部材１４に接触しても、その接触圧を小さくすることが可能になる。また、カード２Ａが位置決めされた状態で、開放位置にあるシャッタ部材１４を閉鎖位置に移動させる際に、カード２Ａの奥端側および前端側がシャッタ部材１４に接触するのを防止することが可能になるか、あるいは、カード２Ａの奥端側がシャッタ部材１４に接触しても、その接触圧を小さくすることが可能になる。したがって、本形態では、閉鎖位置と開放位置との間でシャッタ部材１４を移動させる際に、カード２Ａの接触圧に起因するシャッタ部材１４の負荷を少なくとも低減することが可能になる。その結果、本形態では、左右方向へ移動する磁気ヘッド７を通過させるための開口部１３が搬送路５に形成されていても、シャッタ部材１４を円滑に動かすことが可能になる。
【００７６】
本形態では、開口部１３を閉鎖しているシャッタ部材１４は、奥側に向かうにしたがって上側へ向かうようにＸＹ平面に対してわずかに傾いている。そのため、本形態では、カード２Ａがカードリーダ１に挿入されたときに、カード２Ａの奥端をカード支持部５０ｂへ確実に案内することが可能になる。
【００７７】
本形態では、シャッタ部材１４は、引張りコイルバネ５７の付勢力によって、開口部１３を開放するとともに、左方向へ移動する磁気ヘッド７の移動力によって、開口部１３を閉鎖する。そのため、本形態では、シャッタ部材１４を動作させるための駆動源を別途設ける必要がない。したがって、本形態では、カードリーダ１の構成を簡素化することが可能になる。
【００７８】
本形態では、左方向へ移動するキャリッジ３２の左側面は、磁気ヘッド７のギャップが磁気ストライプ２ａの磁気データ記録領域を抜けた後にキャリッジ当接部５５ｂに当接する。そのため、本形態では、ヘッド移動機構８の動力を用いて、シャッタ部材１４を開放位置から閉鎖位置へ移動させても、磁気ヘッド７による磁気データの読取精度や記録精度の低下を防止することが可能になる。
【００７９】
本形態では、シャッタ部材１４およびレバー部材５８は、平板状に形成されており、その厚み方向が上下方向と略一致するように配置されている。また、本形態では、保持部材５６の保持部５６ａおよびスライド部材５５のスライド部５５ａは、平板状に形成されており、その厚み方向が上下方向と略一致するように配置されている。そのため、本形態では、上下方向において、シャッタ部材１４およびシャッタ作動機構１５を小型化することが可能になり、その結果、上下方向において、カードリーダ１を小型化することが可能になる。
【００８０】
本形態では、左右方向における開口部１３の幅は、カード２の長手方向の幅Ｗ１よりも広くなっている。そのため、本形態では、退避位置からヘッド当接位置に移動した磁気ヘッド７が磁気ストライプ２ａに当接する際に、磁気ヘッド７の移動速度等の磁気ヘッド７の挙動を安定させることが可能になる。したがって、本形態では、磁気ヘッド７による磁気データの読取精度や記録精度を確保することが可能になる。また、本形態では、シャッタ部材１４の左右方向の幅Ｗ１０がカード２の長手方向の幅Ｗ１よりも広くなっているため、左右方向における開口部１３の幅が広くなっていても、開口部１３からの異物や塵埃の侵入をシャッタ部材１４によって阻止することが可能になる。
【００８１】
（他の実施の形態）
上述した形態は、本発明の好適な形態の一例ではあるが、これに限定されるものではなく本発明の要旨を変更しない範囲において種々変形実施が可能である。
【００８２】
上述した形態では、シャッタ部材１４が開口部１３を閉鎖しているときであって、かつ、カード当接部５０ａにカード２が当接してカード２が前後方向で位置決めされているときに、シャッタ部材１４の奥端は、カード当接部５０ａとカード支持部５０ｂとの境界部分よりもわずかに上側に配置されている。この他にもたとえば、シャッタ部材１４が開口部１３を閉鎖しているときであって、かつ、カード当接部５０ａにカード２が当接してカード２が前後方向で位置決めされているときに、シャッタ部材１４の奥端は、上下方向において、カード当接部５０ａとカード支持部５０ｂとの境界部分と同じ位置に配置されても良いし、カード当接部５０ａとカード支持部５０ｂとの境界部分よりも下側に配置されても良い。この場合には、カード２Ａがカードリーダ１に挿入されて位置決めされたときに、カード２Ａの奥端側がシャッタ部材１４に接触しないように、カード２Ａの奥端をカード支持部５０ｂによって支持することが可能になる。
【００８３】
上述した形態では、シャッタ部材１４は、引張りコイルバネ５７の付勢力によって、開口部１３を開放するとともに、左方向へ移動する磁気ヘッド７の移動力によって、開口部１３を閉鎖している。この他にもたとえば、シャッタ部材１４は、右方向へ移動する磁気ヘッド７の移動力によって、開口部１３を開放するとともに、引張りコイルバネ等の付勢部材の付勢力によって、開口部１３を閉鎖しても良い。また、上述した形態では、引張りコイルバネ５７の付勢力および磁気ヘッド７の移動力を利用して、シャッタ部材１４の開閉を行っているが、シャッタ部材１４を開閉するための駆動源を設けても良い。
【００８４】
上述した形態では、シャッタ部材１４およびレバー部材５８は、奥側に向かうにしたがって上側へ向かうようにＸＹ平面に対してわずかに傾いている。この他にもたとえば、シャッタ部材１４およびレバー部材５８は、ＸＹ平面と平行になっていても良い。
【００８５】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、上述した形態では、カード２の裏面に磁気ストライプ２ａが形成されているが、カード２の裏面に代えて、あるいは、カード２の裏面に加えて、カード２のおもて面に磁気ストライプが形成されても良い。たとえば、ＪＩＳＸ６３０２の規格に準拠した磁気ストライプがカード２のおもて面に形成されても良い。カード２のおもて面のみに磁気ストライプが形成される場合には、搬送路５の上側に磁気ヘッド７が配置される。また、磁気ストライプ２ａに加えて、カード２のおもて面に磁気ストライプが形成される場合には、搬送路５の上側および下側の両方に磁気ヘッド７が配置される。
【００８６】
なお、上述した形態では、搬送路５にカード２を検知するための光学式のセンサが配置されている。このセンサを用いて、シャッタ部材１４が開口部１３を閉鎖しているのかそれとも開放しているのかを検知しても良い。
【符号の説明】
【００８７】
１  カードリーダ
２  カード
２ａ  磁気ストライプ
５  搬送路
６  カード搬送機構
７  磁気ヘッド
８  ヘッド移動機構
１３  開口部
１４  シャッタ部材
１５  シャッタ作動機構
２９ａ  ガイド部
３２  キャリッジ
５０  位置決め部材
５０ａ  カード当接部
５０ｂ  カード支持部
５５  スライド部材
５５ｂ  キャリッジ当接部
５６  保持部材
５７  引張りコイルバネ（付勢部材）
５８  レバー部材
Ｕ  カードの長手方向
Ｖ  カードの短手方向
Ｗ１  カードの長手方向の幅
Ｗ２  カードの短手方向の幅
Ｗ１０  搬送路の幅方向におけるシャッタ部材の幅
Ｘ  カードの搬送方向
Ｘ１  第３方向（カードの取込方向）
Ｘ２  第４方向（カードの排出方向）
Ｙ  搬送路の幅方向
Ｙ１  第６方向
Ｙ２  第５方向
Ｚ  カードの厚み方向
Ｚ１  第２方向
Ｚ２  第１方向
【図１】
2015064839.tif 000003
【図２】
2015064839.tif 000004
【図３】
2015064839.tif 000005
【図４】
2015064839.tif 000006
【図５】
2015064839.tif 000007
【図６】
2015064839.tif 000008
【図７】
2015064839.tif 000009
【図８】
2015064839.tif 000010
【図９】
2015064839.tif 000011
【図１０】
2015064839.tif 000012